(57)【要約】【課題】本発明は、天板上の実験用容器から液体がこぼれ落ちても、これをトレイの障壁により的確に堰止めて、実験者の安全を確保できるようにしたトレイ付きバス装置を提供することを課題とする。【解決手段】本体ケーシング２内の磁気的回転駆動機構により回転駆動される磁性材製の撹拌子４を有するガラス製容器３が、天板１上に載置され、同天板１と同天板の周縁部に沿い起立する障壁１ａとによりトレイＴが形成されて、障壁１ａと容器３との間に、同容器３を着脱可能に拘束しうる複数の係合機構Ｋが左右に対をなして架設される。係合機構Ｋにおけるフック部材９の基端部９ａは容器３の開口縁のリング部材３ａに枢着され、同フック部材９の先端部９ｂは障壁１ａから起立した板ばね８の先端部に着脱可能に係合する。【選択図】　図１
2004024991.tif 000002
【特許請求の範囲】
【請求項１】
本体ケーシングの内部に、水平面に沿い回転可能に配設された磁石としての回転部材と、同回転部材の回転駆動機構とを備えるとともに、上記回転部材に近接して同回転部材の上方を覆うように上記本体ケーシングに設けられた非磁性材製の天板と、同天板上に載置される非磁性材製の容器と、同容器の底部内に載置されて上記回転部材の磁力により吸引されながら回転駆動される磁性材製の撹拌子とを備え、上記天板が同天板の周縁部に沿い起立する障壁と共にトレイを形成して、上記障壁と上記容器との相互間に、上記容器を着脱可能に拘束しうる複数の係合機構が左右に対をなして架設されていることを特徴とする、トレイ付きバス装置。
【請求項２】
請求項１に記載のトレイ付きバス装置において、上記容器が透明ガラス材で形成されるとともに、同容器の上部開口縁に着脱自在に嵌合可能の門型断面を有する金属製リング部材が設けられ、上記係合機構が、上記リング部材に基端部を枢着され先端部を上記障壁に係合可能なフック部材を備えて構成されていることを特徴とする、トレイ付きバス装置。
【請求項３】
請求項２に記載のトレイ付きバス装置において、上記トレイの両側部の障壁にそれぞれ下端部を固着されて起立した一対の板ばねが互いに対向するように設けられ、同板ばねの上端部に、丸味を帯びた弯曲部と同弯曲部の外側中央部を切除した切欠き部とが形成されて、上記フック部材の先端部が上記板ばねの上端部における上記弯曲部に案内されて上記切欠き部に係合可能な弯曲形状を有していることを特徴とする、トレイ付きバス装置。
【請求項４】
請求項２または３に記載のトレイ付きバス装置において、上記フック部材が、一連の針金を折り曲げて形成されていることを特徴とする、トレイ付きバス装置。
【発明の詳細な説明】
【０００１】
【発明の属する技術分野】
本発明は、透明容器（バス）内の液体を撹拌して均一な温度分布を保ちながら実験等を行うためのバス装置に関する。
【０００２】
【従来の技術】
従来のバス装置としては図４に示すようなものがあり、非磁性材製の天板１を有する本体ケーシング２の内部に、磁石としての回転部材を水平面内で回転させる駆動機構が設けられて、天板１上のガラス製容器３内の磁性材としての撹拌子４を上記磁石で吸引しながら回転させることにより、ガラス製容器３内の液体の撹拌が行われるようになっている。
ガラス製容器３の内部の液体は、図示しない電熱式のヒーターにより加熱され、同液体が油性の場合は、３００°Ｃにも及ぶ高温に保つことが行われている。
【０００３】
【発明が解決しようとする課題】
ところで、ガラス製容器３は耐熱性のものが用いられるので、その透明性による内部観察の利便性を得ながら、安全を心掛けて実験を行う限り危険を伴うことはないが、地震などの際に外力を受けてガラス製容器３が破損したり動揺したりして、同容器内の高温液体が外部へ流出することも考えられる。
そこで本発明は、天板上のガラス製容器から液体がこぼれ落ちても、これをトレイの障壁により的確に堰止めて、実験者の安全を確保できるようにしたトレイ付きバス装置を提供することを課題とする。
【０００４】
【課題を解決するための手段】
前述の課題を解決するため、本発明のトレイ付きバス装置は、本体ケーシングの内部に、水平面に沿い回転可能に配設された磁石としての回転部材と、同回転部材の回転駆動機構とを備えるとともに、上記回転部材に近接して同回転部材の上方を覆うように上記本体ケーシングに設けられた非磁性材製の天板と、同天板上に載置される非磁性材製の容器と、同容器の底部内に載置されて上記回転部材の磁力により吸引されながら回転駆動される磁性材製の撹拌子とを備え、上記天板が同天板の周縁部に沿い起立する障壁と共にトレイを形成して、上記障壁と上記容器との相互間に、上記容器を着脱可能に拘束しうる複数の係合機構が左右に対をなして架設されていることを特徴としている。
【０００５】
また本発明のトレイ付きバス装置は、上記容器が透明ガラス材で形成されるとともに、同容器の上部開口縁に着脱自在に嵌合可能の門型断面を有する金属製のリング部材が設けられ、上記係合機構が、上記リング部材に基端部を枢着され先端部を上記障壁に係合可能なフック部材を備えて構成されていることを特徴としている。
【０００６】
さらに本発明のトレイ付きバス装置は、上記トレイの両側部の障壁にそれぞれ下端部を固着されて起立した一対の板ばねが互いに対向するように設けられ、同板ばねの上端部に、丸味を帯びた弯曲部と同弯曲部の外側中央部を切除した切欠き部とが形成されて、上記フック部材の先端部が上記板ばねにおける上記弯曲部に案内されて上記切欠き部に係合可能な弯曲形状を有していることを特徴としている。
【０００７】
また本発明のトレイ付きバス装置は、上記フック部材が、一連の針金を折り曲げて形成されていることを特徴としている。
【０００８】
上述の本発明のトレイ付きバス装置では、本体ケーシングの内部で回転駆動機構により回転駆動される磁石としての回転部材が、非磁性材製の天板の上に載置された非磁性材製容器内の磁性材からなる撹拌子を磁気的に吸引しながら回転させるので、同容器内の液体が撹拌されて、同液体の温度分布が均一化されるようになり、このようにして上記容器内での実験が行われるが、その際、特に上記天板がその周縁部に沿い起立する障壁と共にトレイを形成して、同トレイの障壁と上記容器との間に同容器を拘束しうる複数の係合機構が左右に対をなして架設されるので、地震等による外力を受けても上記容器が倒れることはなく、万一上記容器が破損したり、動揺したりして、上記容器内の液体が容器外へこぼれ落ちることがあっても、同液体は上記トレイの障壁で堰止められて同トレイ内に貯溜されるようになる。
【０００９】
したがって、上記液体が高温度に加熱されていたり、あるいは濃硫酸などの危険なものであったりしても、実験者に危害を及ぼすことはなく、安全性が確保されるようになる。
【００１０】
また、上記容器は、同容器と上記トレイの障壁との間に架設される複数の互いに対をなす係合機構により着脱可能に拘束されるので、実験終了後に上記容器を取り外す操作に支障をきたすことはない。
【００１１】
さらに、上記容器が透明ガラス材で形成されるとともに、同容器の上部開口縁に嵌合可能の門型断面を有する金属製リング部材が設けられて、上記係合機構が上記リング部材に基端部を枢着され先端部を上記トレイの障壁に係合可能なフック部材を備えて構成されていると、上記容器の透明性により内部観察の利便性を維持しながら、同容器の上部開口縁が上記金属製リング部材で保護されるとともに、同リング部材に枢着された上記フック部材の操作により上記容器の着脱が容易に行われるようになる。
【００１２】
また、上記トレイの両側部の障壁にそれぞれ下端部を固着されて起立した一対の板ばねが、互いに対向するように設けられ、同板ばねの上端部の丸味を帯びた弯曲部に上記フック部材の先端部が案内されて、上記弯曲部の外側中央部における切欠き部に、上記フック部材の弯曲形状の先端部が係合するようになっていると、上記板ばねの弾性変形と相まって、上記フック部材の着脱が著しく軽快に行われ、しかも、その上記切欠き部への係合状態では、上記板ばねの復元力により上記容器の保持が的確に行われるようになる。
【００１３】
そして、上記フック部材が一連の針金を折り曲げて形成されていると、同フック部材の係脱操作が簡便に行われるほか、その係合状態においても、実験中に上記の透明な容器に対する視野を妨げることが少なくなる利点が得られる。
【００１４】
【発明の実施の形態】
以下、図面により本発明の一実施形態としてのトレイ付きバス装置について説明すると、図１はその斜視図、図２はその一部を切欠いて示す正面図、図３はその係合機構の要部を示す斜視図である。
【００１５】
図１，２に示すように、本実施形態のトレイ付きバス装置においても、非磁性材製の天板１を有する本体ケーシング２の内部に、磁石としての回転部材５を水平面内で回転させる駆動機構（モーター）６が設けられて、天板１上の耐熱性透明ガラス材からなる容器３内に載置された磁性材製の撹拌子４を、磁石としての回転部材５で吸引しながら回転させることにより、同容器３内の液体７の撹拌が行われるようになっている。
そして、容器３の内部の液体７は、図示しない電熱式のヒーターにより加熱され、同液体７が油性の場合は３００°Ｃにも及ぶ高温に保たれる。
【００１６】
本実施形態のバス装置では、天板１が、同天板１の周縁部に沿い起立する障壁１ａと共に一体構造のトレイＴを形成しており、障壁１ａと容器３との相互間には、左右に対をなす二組の係合機構Ｋが着脱可能に設けられて、これにより容器３の拘束が行われるようになっている。
【００１７】
また容器３の上部開口縁に着脱自在に嵌合可能の門型断面を有する金属製のリング部材３ａが設けられ、係合機構Ｋは、リング部材３ａに基端部９ａを枢着され先端部９ｂを障壁１ａに板ばね８を介して係合可能なフック部材９を備えて構成されている。
【００１８】
すなわち、トレイＴの両側部の障壁１ａにそれぞれ下端部を固着されて起立した一対の板ばね８が、互いに対向するように設けられ、同板ばね８の上端部に、図３に示すごとく、丸味を帯びた弯曲部８ａと、同弯曲部８ａの外側中央部を切除した切欠き部８ｂとが形成されており、フック部材９の先端部９ｂは、板ばね８の弯曲部８ａに案内されて切欠き部８ｂに係合可能な弯曲形状を有している。そして、フック部材９は、一連の針金を折り曲げて、弯曲した先端部９ｂを形成されており、このようにしてフック部材９は、視野を妨げることの少ないスケルトン構造を有している。
【００１９】
上述の本実施形態のトレイ付きバス装置では、本体ケーシング２の内部で回転駆動機構６により回転駆動される磁石としての回転部材５が、非磁性材製の天板１の上に載置された透明ガラス製容器３内の磁性材からなる撹拌子４を磁気的に吸引しながら回転させるので、同容器３内の液体７が撹拌されて同液体７の温度分布が均一化されるようになり、このようにして容器３内で実験が行われる。
【００２０】
本発明の上記装置では、天板１がその周縁部に沿い起立する障壁１ａと共に一体構造のトレイＴを形成しており、同トレイＴの障壁１ａと容器３との間に同容器３を拘束しうる２個の係合機構Ｋが左右に対をなして架設されるので、地震等による外力を受けても容器３が倒れることはなく、また容器３内の液体７が動揺して容器外へこぼれ落ちることがあっても、同液体７はトレイＴの障壁１ａで堰止められて同トレイＴ内に貯溜されるようになる。
【００２１】
したがって、液体７が高温度に加熱されていたり、あるいは濃硫酸などの危険なものであったりしても、実験者に危害を及ぼすことはなく、安全性が確保されるようになる。
【００２２】
また、容器３は、同容器３とトレイＴの障壁１ａとの間に架設される複数の互いに対をなす係合機構Ｋにより着脱可能に拘束されるので、実験終了後に容器３を取り外す操作に支障をきたすことはない。
【００２３】
さらに、容器３の上部開口縁に嵌合可能の門型断面を有する金属製リング部材３ａが設けられて、係合機構Ｋが、リング部材３ａに基端部９ａを枢着され先端部９ｂをトレイＴの障壁１ａに板ばね８を介して係合可能なフック部材９を備えて構成されているので、同フック部材９の操作により容器３の着脱が容易に行われるようになる。
【００２４】
また、トレイＴの障壁１ａに下端部を固着されて起立した一対の板ばね８が、互いに対向するように設けられ、図３に示すごとく、板ばね８の上端部の丸味を帯びた弯曲部８ａに、Ａ方向に降下するフック部材９の先端部９ｂが案内されて、弯曲部８ａの外側中央部における切欠き部８ｂにフック部材９の弯曲形状の先端部が係合するようになっているので、板ばね８の弾性変形と相まって、フック部材９の着脱が著しく軽快に行われ、しかも、その切欠き部８ｂへの係合状態では、板ばね８の復元力により容器３の保持が的確に行われるようになる。
【００２５】
そして、フック部材９は一連の針金を折り曲げて構成されたスケルトン構造を有しているので、同フック部材９の係脱操作が簡便に行われるほか、その係合状態においても、実験中の透明ガラス製容器３に対する視野を妨げることが少なくなる利点が得られる。
【００２６】
このようにして、本実施形態のトレイ付きバス装置では、従来のバス装置と同様に支障なく実験を行えるようにしながら、万一、天板１上に容器３から液体７がこぼれ落ちても、これをトレイＴの障壁１ａにより的確に堰止めて、実験者の安全を確保することができる。
【００２７】
【発明の効果】
以上詳述したように、本発明のトレイ付きバス装置によれば次のような効果が得られる。
（１）　本体ケーシングの内部で回転駆動機構により回転駆動される磁石としての回転部材が、非磁性材製の天板の上に載置された非磁性材製容器内の磁性材からなる撹拌子を磁気的に吸引しながら回転させるので、同容器内の液体が撹拌されて同液体の温度分布が均一化されるようになり、このようにして上記容器内で実験が行われる際に、特に上記天板がその周縁部に沿い起立する障壁と共にトレイを形成して、同トレイの障壁と上記容器との間に同容器を拘束しうる複数の係合機構が左右に対をなして架設されているので、地震等による外力を受けても上記容器が倒れることはなく、万一上記容器が破損したり、動揺したりして、上記容器内の液体が容器外へこぼれ落ちることがあっても、同液体は上記トレイの障壁で堰止められて同トレイ内に貯溜されるようになる。したがって、上記液体が高温度に加熱されていたり、あるいは濃硫酸などの危険なものであったりしても、実験者に危害を及ぼすことはなく、安全性が確保されるようになる。また、上記容器は、上記係合機構により着脱可能に拘束されるので、実験終了後に上記容器を取り外す操作に支障をきたすことはない。
（２）　上記容器が透明ガラス材で形成されて、同容器の上部開口縁に嵌合可能の門型断面を有する金属製リング部材が設けられ、上記係合機構が上記リング部材に基端部を枢着され先端部を上記トレイの障壁に係合可能なフック部材を備えて構成されていると、上記容器の透明性により内部観察の利便性を維持しながら、同容器の上部開口縁が上記金属製リング部材で保護されるとともに、同リング部材に枢着された上記フック部材の操作により上記容器の着脱が容易に行われるようになる。
（３）　上記トレイの両側部の障壁にそれぞれ下端部を固着されて起立した一対の板ばねが、互いに対向するように設けられ、同板ばねの上端部の丸味を帯びた弯曲部に上記フック部材の先端部が案内されて、上記弯曲部の外側中央部における切欠き部に、上記フック部材の弯曲形状の先端部が係合するようになっていると、上記板ばねの弾性変形と相まって、上記フック部材の着脱が著しく軽快に行われ、しかも、その上記切欠き部への係合状態では、上記板ばねの復元力により上記容器の保持が的確に行われるようになる。
（４）　上記フック部材が一連の針金を折り曲げて形成されていると、そのスケルトン構造により、同フック部材の係脱操作が簡便に行われるほか、その係合状態においても、実験中に上記透明ガラス製容器に対する視野を妨げることが少なくなる利点が得られる。
【図面の簡単な説明】
【図１】本発明の一実施形態としてのトレイ付きバス装置の斜視図である。
【図２】図１のトレイ付きバス装置の一部を切欠いて示す正面図である。
【図３】図１，２のトレイ付きバス装置における係合機構の要部を示す斜視図である。
【図４】従来のバス装置の斜視図である。
【符号の説明】
１　天板
１ａ　障壁
２　本体ケーシング
３　ガラス製容器
３ａ　金属製リング部材
４　撹拌子
５　回転部材
６　駆動機構（モーター）
７　液体
８　板ばね
８ａ　板ばねの弯曲部
９　フック部材
９ａ　フック部材の基端部
９ｂ　フック部材の先端部
Ｋ　係合機構
Ｔ　トレイ
【図１】
2004024991.tif 000003
【図２】
2004024991.tif 000004
【図３】
2004024991.tif 000005
【図４】
2004024991.tif 000006